(57)【要約】【課題】フリーアクセス床に設置する制御盤等の盤装置本体３から外部へ導出されるケーブルのサポート処理を盤外で実行でき、盤内スペースを有効に縮小できるケーブル支持装置を得る。【解決手段】フリーアクセス床に設置する制御盤等の盤装置本体３の床を構成する床部材２を支承する床架台１と、盤装置本体３から接続用端子台５を介して外部へ導出されるケーブル４を支持するケーブルサポート部材６とを備え、ケーブルサポート部材６を取付ける複数の取付穴１ａからなる取付部を床架台１に設けた。【選択図】        図１
2004328878.tif 000002
【特許請求の範囲】
【請求項１】
盤装置の床を構成する床部材を支承する床架台と、前記盤装置から導出されるケーブルを支持するケーブルサポート部材とを備え、前記ケーブルサポート部材を取付ける取付部を前記床架台に設けたことを特徴とするケーブル支持装置。
【請求項２】
前記ケーブルサポート部材を屈曲させることにより、ケーブルサポート位置を可変としたことを特徴とする請求項１に記載のケーブル支持装置。
【請求項３】
前記ケーブルサポート部材を取付ける取付部を複数個設けたことを特徴とする請求項１または請求項２に記載のケーブル支持装置。
【請求項４】
前記ケーブルサポート部材を固定する複数の取付穴を有する取付座を前記床架台に設けたことを特徴とする請求項１から請求項３のいずれかに記載のケーブル支持装置。
【請求項５】
前記ケーブルサポート部材を井桁状に構成したことを特徴とする請求項１から請求項４のいずれかに記載のケーブル支持装置。
【発明の詳細な説明】
【０００１】
【発明の属する技術分野】
この発明は、ケーブル支持装置、特に、フリーアクセス床に設置する制御盤の外部ケーブルサポート部に適用して好適なフリーアクセス床架台のケーブル支持装置に関するものである。
【０００２】
【従来の技術】
従来技術においては、フリーアクセス床に設置した制御盤本体の外部ケーブルサポート部は、制御盤本体内部に設けられるものであった（例えば、特許文献１参照）。
【０００３】
【特許文献１】
特開昭６０−００５７０８号公報（第１−２頁、第１図）
【０００４】
【発明が解決しようとする課題】
このような従来装置では、制御盤本体内部に外部ケーブルサポート部を設けているため、盤内に外部ケーブルサポート取付スペースが必要であり、盤内取付機器に制約が出るという難点があった。
【０００５】
この発明は、上記のような課題を解決するためになされたものであり、ケーブルのサポート処理を盤外で実行でき、盤内スペースを有効に活用できるケーブル支持装置を提供することを目的としている。
【０００６】
【課題を解決するための手段】
この発明に係るケーブル支持装置では、盤装置から導出されるケーブルを支持するケーブルサポート部材を取付ける取付部を、盤装置の床を構成する床部材を支承する床架台に設けたものである。
【０００７】
【発明の実施の形態】
実施の形態１．
この発明による実施の形態１を図１に基づいて説明する。図１は実施の形態１におけるケーブル支持装置の構成を示す断面図である。
【０００８】
図において、フリーアクセス床架台１の上面には制御盤本体３のフリーアクセス床２を構成する床部材が敷き詰められている。
制御盤本体３に接続される外部ケーブル４は、制御盤本体３の接続用端子台５に締結される。
外部ケーブル４を支持固定するケーブルサポート６の取付構造は以下のようになっている。
【０００９】
フリーアクセス床架台１に外部ケーブルサポート６を挿入・固定するための取付穴１ａを設けており、外部ケーブルサポート部材は外部ケーブルサポート６と固定用平ワッシャ６ａ，固定用スプリングワッシャ６ｂ，固定用ナット６ｃにより構成されている。
【００１０】
次に、動作について説明する。
図１において、外部ケーブルサポート６をフリーアクセス床架台１に設けられた外部ケーブルサポート挿入・固定用穴１ａに外部ケーブルサポート６の片方を挿入し、もう片方を隣接するフリーアクセス床架台１の挿入・固定用穴１ａに挿入する。
挿入した外部ケーブルサポート６は固定用平ワッシャ６ａ、固定用スプリングワッシャ６ｂ、固定用ナット６ｃを用いて締め付けることにより外部ケーブルサポート６の両端を固定する。
このようにして外部ケーブルサポートを盤外に取付け・処理することにより、ケーブルサポート部材による盤内機器の取付けスペース制約が解消される。
【００１１】
この発明による実施の形態１によれば、制御盤等の盤装置のフリーアクセス床２を構成する床部材を支承する床架台１と、前記制御盤等の盤装置から導出される外部ケーブル４を支持するケーブルサポート部材６とを備え、前記ケーブルサポート部材６を取付ける外部ケーブルサポート挿入・固定用穴１ａからなる取付部を前記床架台６に設けたので、ケーブルのサポート処理を盤外で実行でき、盤内スペースを有効に活用できるケーブル支持装置を得ることができる。
【００１２】
実施の形態２．
この発明による実施の形態２を図２について説明する。図２は実施の形態２におけるケーブル支持装置の構成を示す斜視図である。
この実施の形態２において、ここで説明する特有の構成以外の構成については、先に説明した実施の形態１と同一の構成内容を具備し、同様の作用を奏するものである。図中、同一符号は同一または相当部分を示す。
【００１３】
上記実施の形態１では、直線的な外部ケーブルサポート６をフリーアクセス床架台間に取付ける場合について述べたが、図２に示すように外部ケーブルサポート６を屈曲変化させることによりケーブルサポート位置をフリーアクセス床架台１の設定位置にとらわれず外部ケーブルサポート６を左右もしくは前後に自在に設定できる形態としたので、盤内機器配置を自在に設定することができる。
【００１４】
この発明による実施の形態２によれば、実施の形態１の構成において、前記ケーブルサポート部材６を屈曲させることにより、ケーブルサポート位置を可変としたので、ケーブルのサポート実行を盤外で処理でき、盤内スペースを有効に活用できるとともに、盤内機器配置を自在に設定できるケーブル支持装置を得ることができる。
【００１５】
実施の形態３．
この発明による実施の形態３を図３について説明する。図３は実施の形態３におけるケーブル支持装置の構成を示す斜視図である。
この実施の形態３において、ここで説明する特有の構成以外の構成については、先に説明した実施の形態１と同一の構成内容を具備し、同様の作用を奏するものである。図中、同一符号は同一または相当部分を示す。
【００１６】
上記実施の形態１および実施の形態２では、フリーアクセス床架台１の外部ケーブルサポート挿入・固定穴１ａを１個の場合について述べたが、図３に示すように、外部ケーブルサポート取付穴１ａを棒状の床架台１の延在方向に間隔をおいて複数個設け、外部ケーブルサポート６の高さ位置を可変できる形態としたので盤内機器の高さ位置に合わせ自在に設定することができる。
【００１７】
この発明による実施の形態３によれば、実施の形態１または実施の形態２の構成において、前記ケーブルサポート部材６を取付ける取付部１ａを床架台１に複数個設けたので、ケーブルのサポート実行を盤外で処理でき、盤内スペースを有効に活用できるとともに、外部ケーブルサポート高さ位置を盤内機器の高さ位置に合わせ自在に設定できるケーブル支持装置を得ることができる。
【００１８】
実施の形態４．
この発明による実施の形態４を図４および図５について説明する。図４は実施の形態４におけるケーブル支持装置の構成を示す上面図および側面図である。図５は実施の形態４におけるケーブル支持装置の構成を示す斜視図である。
この実施の形態４において、ここで説明する特有の構成以外の構成については、先に説明した実施の形態１と同一の構成内容を具備し、同様の作用を奏するものである。図中、同一符号は同一または相当部分を示す。
【００１９】
上記実施の形態１から実施の形態３では、フリーアクセス床架台１の外部ケーブルサポート挿入・固定穴１ａに直接外部ケーブルサポート６を取付ける形態としたが、図４に示すように、ナット７ａが溶接され複数の取付穴７ｂを設けた取付座７を、固定用平ワッシャ６ａ、固定用スプリングワッシャ６ｂ、固定用ボルト８によりフリーアクセス床架台１に固定することにより、図５に示すように取付座７に外部ケーブルサポート６を左右・前後同時にケーブルサポートを設けることとしたので、外部ケーブル４引き込み方向に対して外部ケーブルサポート６を自在に設定可能とすることができる。
【００２０】
この発明による実施の形態４によれば、実施の形態１から実施の形態３までのいずれかの構成において、前記ケーブルサポート部材６を固定する複数の取付穴７ｂを有する取付座７を前記床架台１に設けたので、ケーブルのサポート実行を盤外で処理でき、盤内スペースを有効に活用できるとともに、外部ケーブル引き込み方向に対して外部ケーブルサポートを自在に設定可能にできるケーブル支持装置を得ることができる。
【００２１】
実施の形態５．
この発明による実施の形態５を図６および図７について説明する。図６は実施の形態５におけるケーブル支持装置の構成を示す上面図である。図７は実施の形態５におけるケーブル支持装置の構成を示す斜視図である。
この実施の形態５において、ここで説明する特有の構成以外の構成については、先に説明した実施の形態１と同一の構成内容を具備し、同様の作用を奏するものである。図中、同一符号は同一または相当部分を示す。
【００２２】
上記実施の形態４ではフリーアクセス床架台１に取付座７を取付、取付座７に対して外部ケーブルサポート６を前後・左右方向に取付ける形態を示したが、図６・図７に示すように、隣接するフリーアクセス床架台１間に取付けた外部ケーブルサポート６に複数個の挿入・固定穴６ｄを設け、挿入・固定穴６ｄに外部ケーブルサポート６の片方を固定しもう片方を対面のフリーアクセス床架台１間に取付けた複数個挿入・固定穴６ｄを設けた外部ケーブルサポート６に固定することにより、外部ケーブルサポート６を井桁状に構成したので盤内機器配置に合わせて外部ケーブルサポート位置を自在に設定可能とすることができる。
【００２３】
この発明による実施の形態５によれば、実施の形態１から実施の形態４までのいずれかの構成において、前記ケーブルサポート部材６を井桁状に構成したので、ケーブルのサポート実行を盤外で処理でき、盤内スペースを有効に活用できるとともに、盤内機器配置に合わせて外部ケーブルサポート位置を自在に設定できるケーブル支持装置を得ることができる。
【００２４】
【発明の効果】
この発明によれば、ケーブルのサポート処理を盤外で実行でき、盤内スペースを有効に活用できるケーブル支持装置を得ることができる。
【図面の簡単な説明】
【図１】この発明による実施の形態１における装置構成を示す側面図である。
【図２】この発明による実施の形態２における装置構成を示す斜視図である。
【図３】この発明による実施の形態３における装置構成を示す斜視図である。
【図４】この発明による実施の形態４における装置構成を示す上面図および側面図である。
【図５】この発明による実施の形態４における装置構成を示す斜視図である。
【図６】この発明による実施の形態５における装置構成を示す上面図である。
【図７】この発明による実施の形態５における装置構成を示す斜視図である。
【符号の説明】
１  フリーアクセス床架台、１ａ  挿入・固定用穴、２  フリーアクセス床、３  盤本体、４  外部ケーブル、５  盤内機器、６  外部ケーブルサポート、６ａ  固定用平ワッシャ、６ｂ  固定用スプリングワッシャ、６ｃ  固定用ナット、７  取付座、７ａ  ナット、８  取付ボルト。
【図１】
2004328878.tif 000003
【図２】
2004328878.tif 000004
【図３】
2004328878.tif 000005
【図４】
2004328878.tif 000006
【図５】
2004328878.tif 000007
【図６】
2004328878.tif 000008
【図７】
2004328878.tif 000009